(57)【特許請求の範囲】
【請求項１】
第１のサンプリング周波数ｆｓ１の音声信号を生成するために送信装置から伝送されてきた伝送信号に基づく音声パラメータ符号を使って生成した第１の帯域Ｂ１の音声信号のサンプリング周波数を第２のサンプリング周波数ｆｓ２（ｆｓ２＞ｆｓ１）に変換するサンプリングレート変換手段と、
上記音声パラメータ符号を使って上記第１の帯域Ｂ１の帯域外成分である第２の帯域Ｂ２の第２のサンプリング周波数ｆｓ２の音声信号を推測する帯域外成分推測手段と、
上記サンプリングレート変換手段で第２のサンプリング周波数ｆｓ２とされた第１の帯域Ｂ１の音声信号と、上記帯域外成分推測手段で推測された第２のサンプリング周波数ｆｓ２の第２の帯域Ｂ２の音声信号を加算する加算手段と、
上記加算手段からの加算出力に雑音低減処理を施す雑音低減処理手段とを備え、
上記雑音低減処理手段は、上記第１のサンプリング周波数ｆｓ１の音声信号を生成するために送信装置から伝送されてきた伝送信号に基づく音声パラメータ符号から検出された背景雑音区間の雑音レベルに応じて制御信号を形成し、この制御信号に基づいた雑音低減処理をｆｓ２／ｆｓ１回施す
受信装置。
【請求項２】
上記帯域外成分推測手段は、上記音声パラメータ符号としての線形予測残差を帯域拡張する部分と、上記音声パラメータ符号としての線形予測係数の広帯域への拡張部分とからなる請求項１記載の受信装置。
【請求項３】
上記線形予測係数の広帯域への拡張部分は、上記線形予測係数を自己相関に変換する第１変換部と、第１変換部の自己相関を予め広帯域の自己相関を格納したコードブックを参照することにより拡張する自己相関拡張部と、この自己相関拡張部からの拡張自己相関を拡張線形予測係数に変換する第２の変換部とを備える請求項２記載の受信装置。
【請求項４】
上記線形予測残差を帯域拡張する部分は、上記線形予測残差をアップサンプルするアップサンプル部を備える請求項２記載の受信装置。
【請求項５】
上記伝送信号はＰＳＩ−ＣＥＬＰ符号化又はＶＳＥＬＰ符号化された信号であり、上記帯域外成分推測手段は上記ＰＳＩ−ＣＥＬＰ符号化又はＶＳＥＬＰ符号化された信号を復号して得られた音声パラメータ符号を使って上記第１の帯域Ｂ１の帯域外成分である第２の帯域Ｂ２の第２のサンプリング周波数ｆｓ２の音声信号を推測する請求項１記載の受信装置。
【請求項６】
上記伝送信号はＰＳＩ−ＣＥＬＰ符号化又はＶＳＥＬＰ符号化された信号であり、上記雑音低減処理手段は上記ＰＳＩ−ＣＥＬＰ符号化又はＶＳＥＬＰ符号化された信号を復号して得られた音声パラメータ符号から検出された背景雑音区間の雑音レベルに応じて制御信号を生成し、この制御信号に基づいた雑音低減処理を上記加算出力に施す請求項１記載の受信装置。
【請求項７】
第１のサンプリング周波数ｆｓ１の音声信号を生成するために伝送されてきた伝送信号に基づく音声パラメータ符号を使って生成した第１の帯域Ｂ１の音声信号のサンプリング周波数を第２のサンプリング周波数ｆｓ２（ｆｓ２＞ｆｓ１）に変換して得た変換出力である第２のサンプリング周波数ｆｓ２の第１の帯域Ｂ１の音声信号に、上記音声パラメータ符号を使って推測した上記第１の帯域Ｂ１の帯域外成分である第２の帯域Ｂ２の第２のサンプリング周波数ｆｓ２の音声信号を加算し、その加算出力に雑音低減処理を施すようにし、
上記第１のサンプリング周波数ｆｓ１の音声信号を生成するために送信装置から伝送されてきた伝送信号に基づく音声パラメータ符号に基づいて上記雑音低減処理を上記加算出力に対してｆｓ２／ｆｓ１回施す
受信方法。
【請求項８】
入力音声信号に第１のサンプリング周波数ｆｓ１による符号化処理を施して伝送信号を生成する送信手段と、
上記伝送信号を受信する受信手段とを備え、
上記受信手段は、
第１のサンプリング周波数ｆｓ１の音声信号を生成するために伝送されてきた伝送信号に基づく音声パラメータ符号を使って生成した第１の帯域Ｂ１の音声信号のサンプリング周波数を第２のサンプリング周波数ｆｓ２（ｆｓ２＞ｆｓ１）に変換するサンプリングレート変換手段と、
上記音声パラメータ符号を使って上記第１の帯域Ｂ１の帯域外成分である第２の帯域Ｂ２の第２のサンプリング周波数ｆｓ２の音声信号を推測する帯域外成分推測手段と、
上記サンプリングレート変換手段で第２のサンプリング周波数ｆｓ２とされた第１の帯域Ｂ１の音声信号と、上記帯域外成分推測手段で推測された第２のサンプリング周波数ｆｓ２の第２の帯域Ｂ２の音声信号を加算する加算手段と、
上記加算手段からの加算出力に雑音低減処理を施す雑音低減処理手段とを備え、
上記雑音低減処理手段は、上記第１のサンプリング周波数ｆｓ１の音声信号を生成するために送信装置から伝送されてきた伝送信号に基づく音声パラメータ符号から検出された背景雑音区間の雑音レベルに応じて制御信号を形成し、この制御信号に基づいた雑音低減処理をｆｓ２／ｆｓ１回施す
通信装置。
【請求項９】
上記受信手段の上記帯域外成分推測手段は、上記音声パラメータ符号としての線形予測残差を帯域拡張する部分と、上記音声パラメータ符号としての線形予測係数の広帯域への拡張部分とからなる請求項８記載の通信装置。
【請求項１０】
上記線形予測係数の広帯域への拡張部分は、上記線形予測係数を自己相関に変換する第１変換部と、第１変換部の自己相関を予め広帯域の自己相関を格納したコードブックを参照することにより拡張する自己相関拡張部と、この自己相関拡張部からの拡張自己相関を拡張線形予測係数に変換する第２の変換部とを備える請求項９記載の通信装置。
【請求項１１】
上記線形予測残差を帯域拡張する部分は、上記線形予測残差をアップサンプルするアップサンプル部を備える請求項９記載の通信装置。
【請求項１２】
上記伝送信号はＰＳＩ−ＣＥＬＰ符号化又はＶＳＥＬＰ符号化された信号であり、上記帯域外成分推測手段は上記ＰＳＩ−ＣＥＬＰ符号化又はＶＳＥＬＰ符号化された信号を復号して得られた音声パラメータ符号を使って上記第１の帯域Ｂ１の帯域外成分である第２の帯域Ｂ２の第２のサンプリング周波数ｆｓ２の音声信号を推測する請求項８記載の通信装置。
【請求項１３】
上記伝送信号はＰＳＩ−ＣＥＬＰ符号化又はＶＳＥＬＰ符号化された信号であり、上記雑音低減処理手段は上記ＰＳＩ−ＣＥＬＰ符号化又はＶＳＥＬＰ符号化された信号を復号して得られた音声パラメータ符号から検出された背景雑音区間の雑音レベルに応じて制御信号を形成し、この制御信号に基づいた雑音低減処理を上記加算出力に施す請求項８記載の通信装置。
【請求項１４】
入力音声信号に第１のサンプリング周波数ｆｓ１による符号化処理を施して伝送信号を生成すると共に、上記第１のサンプリング周波数ｆｓ１の音声信号を生成するために伝送されてきた伝送信号に基づく音声パラメータ符号を使って生成した第１の帯域Ｂ１の音声信号のサンプリング周波数を第２のサンプリング周波数ｆｓ２（ｆｓ２＞ｆｓ１）に変換して得た変換出力と、上記音声パラメータ符号を使って推測した第２のサンプリング周波数ｆｓ２の第２の帯域Ｂ２の音声信号とを加算した加算出力に、雑音低減処理を施すようにし、
上記第１のサンプリング周波数ｆｓ１の音声信号を生成するために送信装置から伝送されてきた伝送信号に基づく音声パラメータ符号から検出された背景雑音区間の雑音レベルに応じて制御信号を形成し、この制御信号に基づいて上記雑音低減処理をｆｓ２／ｆｓ１回行う
通信方法。
【発明の詳細な説明】
【０００１】
【発明の属する技術分野】
本発明は、通信や放送によって伝えられた、音声信号の音声パラメータ符号を使って音声信号を合成する受信装置及び方法、通信装置及び方法に関する。
【０００２】
【従来の技術】
従来の通信装置では、受話側における入力音声と出力音声のサンプリング周波数が同一であると共に、音声周波数帯域も同一であった。これは、電話回線の伝送帯域が例えば３００〜３４００Ｈｚと狭く、電話回線を介して送られてくる音声信号の周波数帯域が制限されてしまうためである。
【０００３】
【発明が解決しようとする課題】
ところで、上記伝送帯域が制限された、入力音声と同様の音声周波数帯域で出力される音声では音質はあまり良好とは言えない。つまり、聴覚的品質が劣る。また、ディジタル携帯電話の音質についても不満がある。
【０００４】
本発明は、上記実情に鑑みてなされたものであり、聴覚的品質を向上させた受話音声を得ることのできる受信装置及び方法、通信装置及び方法の提供を目的とする。
【０００５】
【課題を解決するための手段】
本発明に係る受信装置は、上記課題を解決するために、第１のサンプリング周波数ｆｓ１の音声信号を生成するために送信装置から伝送されてきた伝送信号に基づく音声パラメータ符号を使って生成した第１の帯域Ｂ１の音声信号のサンプリング周波数を第２のサンプリング周波数ｆｓ２（ｆｓ２＞ｆｓ１）に変換するサンプリングレート変換手段と、上記音声パラメータ符号を使って上記第１の帯域Ｂ１の帯域外成分である第２の帯域Ｂ２の第２のサンプリング周波数ｆｓ２の音声信号を推測する帯域外成分推測手段と、上記サンプリングレート変換手段で第２のサンプリング周波数ｆｓ２とされた第１の帯域Ｂ１の音声信号と、上記帯域外成分推測手段で推測された第２のサンプリング周波数ｆｓ２の第２の帯域Ｂ２の音声信号を加算する加算手段と、上記加算手段からの加算出力に雑音低減処理を施す雑音低減処理手段とを備え、上記雑音低減処理手段は、上記第１のサンプリング周波数ｆｓ１の音声信号を生成するために送信装置から伝送されてきた伝送信号に基づく音声パラメータ符号から検出された背景雑音区間の雑音レベルに応じて制御信号を形成し、この制御信号に基づいた雑音低減処理をｆｓ２／ｆｓ１回施す。
【０００６】
ここで、上記雑音低減処理手段は、上記第１のサンプリング周波数ｆs1の音声信号を生成するために送信装置から伝送されてきた伝送信号に基づく音声パラメータ符号から検出された背景雑音区間の雑音レベルに応じて制御信号を形成し、この制御信号に基づいた上記雑音低減処理をｆs2／ｆs1回行う。
【０００７】
また、本発明に係る受信方法は、上記課題を解決するために、第１のサンプリング周波数ｆｓ１の音声信号を生成するために伝送されてきた伝送信号に基づく音声パラメータ符号を使って生成した第１の帯域Ｂ１の音声信号のサンプリング周波数を第２のサンプリング周波数ｆｓ２（ｆｓ２＞ｆｓ１）に変換して得た変換出力である第２のサンプリング周波数ｆｓ２の第１の帯域Ｂ１の音声信号に、上記音声パラメータ符号を使って推測した上記第１の帯域Ｂ１の帯域外成分である第２の帯域Ｂ２の第２のサンプリング周波数ｆｓ２の音声信号を加算し、その加算出力に雑音低減処理を施すようにし、上記第１のサンプリング周波数ｆｓ１の音声信号を生成するために送信装置から伝送されてきた伝送信号に基づく音声パラメータ符号に基づいて上記雑音低減処理を上記加算出力に対してｆｓ２／ｆｓ１回施す。
【０００８】
本発明に係る通信装置は、上記課題を解決するために、入力音声信号に第１のサンプリング周波数ｆｓ１による符号化処理を施して伝送信号を生成する送信手段と、上記伝送信号を受信する受信手段とを備え、上記受信手段は、第１のサンプリング周波数ｆｓ１の音声信号を生成するために伝送されてきた伝送信号に基づく音声パラメータ符号を使って生成した第１の帯域Ｂ１の音声信号のサンプリング周波数を第２のサンプリング周波数ｆｓ２（ｆｓ２＞ｆｓ１）に変換するサンプリングレート変換手段と、上記音声パラメータ符号を使って上記第１の帯域Ｂ１の帯域外成分である第２の帯域Ｂ２の第２のサンプリング周波数ｆｓ２の音声信号を推測する帯域外成分推測手段と、上記サンプリングレート変換手段で第２のサンプリング周波数ｆｓ２とされた第１の帯域Ｂ１の音声信号と、上記帯域外成分推測手段で推測された第２のサンプリング周波数ｆｓ２の第２の帯域Ｂ２の音声信号を加算する加算手段と、上記加算手段からの加算出力に雑音低減処理を施す雑音低減処理手段とを備え、上記雑音低減処理手段は、上記第１のサンプリング周波数ｆｓ１の音声信号を生成するために送信装置から伝送されてきた伝送信号に基づく音声パラメータ符号から検出された背景雑音区間の雑音レベルに応じて制御信号を形成し、この制御信号に基づいた雑音低減処理をｆｓ２／ｆｓ１回施す。
【０００９】
ここで、上記伝送信号はＰＳＩ−ＣＥＬＰ符号化又はＶＳＥＬＰ符号化された信号であり、上記雑音低減処理手段は上記ＰＳＩ−ＣＥＬＰ符号化又はＶＳＥＬＰ符号化された信号を復号して得られた音声パラメータ符号から検出された背景雑音区間の雑音レベルに応じて制御信号を形成し、この制御信号に基づいた上記雑音低減処理をｆs2／ｆs1回行う。
【００１０】
また、本発明に係る通信方法は、上記課題を解決するために、入力音声信号に第１のサンプリング周波数ｆｓ１による符号化処理を施して伝送信号を生成すると共に、上記第１のサンプリング周波数ｆｓ１の音声信号を生成するために伝送されてきた伝送信号に基づく音声パラメータ符号を使って生成した第１の帯域Ｂ１の音声信号のサンプリング周波数を第２のサンプリング周波数ｆｓ２（ｆｓ２＞ｆｓ１）に変換して得た変換出力と、上記音声パラメータ符号を使って推測した第２のサンプリング周波数ｆｓ２の第２の帯域Ｂ２の音声信号とを加算した加算出力に、雑音低減処理を施すようにし、上記第１のサンプリング周波数ｆｓ１の音声信号を生成するために送信装置から伝送されてきた伝送信号に基づく音声パラメータ符号から検出された背景雑音区間の雑音レベルに応じて制御信号を形成し、この制御信号に基づいて上記雑音低減処理をｆｓ２／ｆｓ１回行う。
【００１１】
【発明の実施の形態】
以下、本発明の実施の形態について図面を参照しながら説明する。この実施の形態は、本発明に係る受信装置の具体例となる、図１に示す受信装置１である。この受信装置１は、パーソナルディジタルセルラー（Personal Digital Cellular，ＰＤＣ）として、現在広く使用されている、ディジタル携帯電話の受話側に適用される。
【００１２】
受信装置１は、第１のサンプリング周波数ｆs1の音声信号を生成するために後述する送信装置から基地局を介して伝送されてきた伝送信号に基づく音声パラメータ符号から、第２のサンプリング周波数ｆs2（ｆs2＞ｆs1）の音声信号を生成する。第１のサンプリング周波数ｆs1としては８ＫＨｚを、第２のサンプリング周波数ｆs2としては１６ＫＨｚを用いる。
【００１３】
アンテナ２を介して基地局から受信した音声パラメータ符号は、ＲＦ（ＲＦ受信部）アンプ３、制御部４を経由して信号処理装置５のメモリ５ａに格納される。
【００１４】
信号処理装置５のメモリ５ａに格納された音声パラメータ符号は、信号処理装置５の復号部で復号処理された後、所定の信号処理が施されて出力される。
【００１５】
信号処理装置５からの出力信号は、Ｄ／Ａ変換器６でアナログ信号とされた後、アンチエイリアシングフィルタ７、ボリューム８及びアンプ９を経由してスピーカ１０から出力される。なお、制御部４には例えばキー操作部１１とＬＣＤ表示部１２が接続されている。
【００１６】
図２には、上記音声パラメータ符号を例えば無線伝送路、及び基地局を介して送信する、送信装置１５の構成を示す。この送信装置１５もＰＤＣとして、現在広くしようされている、ディジタル携帯電話の送話側に適用される。
【００１７】
マイクロホン１６から入力された音声信号は、アンプ１７，ボリューム１８，アンチエイリアシングフィルタ１９及びＡ／Ｄ変換器２０を経由して信号処理装置２１のメモリ２１ａに格納される。
【００１８】
メモリ２１ａに格納された音声信号は、信号処理装置２１内部の音声符号化部で符号処理され、音声パラメータ符号として出力される。この音声パラメータ符号は、制御部２２及びＲＦ（ＲＦ送信）アンプ２３及びアンテナ２４を経由して基地局へ送信される。なお、制御部２２にはキー操作部２５とＬＣＤ表示部２６が接続されている。
【００１９】
ここで、信号処理装置２１内部の音声符号化部は、無線伝送路により制限される狭帯域化を考慮した音声パラメータ符号を生成する。一般的には、３００Ｈｚ〜３４００Ｈｚの伝送帯域を考慮している。上記伝送信号に基づく音声パラメータ符号は、制御部２２を介してＲＦアンプ２３に供給される。例えば、音声パラメータ符号としては、励振源に関する線形予測（ＬＰＣ）残差や、線形予測係数αがある。他には、ピッチ周波数に関するラグＬＡＧや、例えば２０msecのフレームにおけるフレームパワーＲ０等がある。
【００２０】
図１の受信装置１内部の信号処理装置５は、図３に示すデコーダ２７と、図４に示す帯域幅拡張部３２とを備えてなる。
【００２１】
上記図２に示した送信装置１５の信号処理装置２１における音声符号器での符号化方法がＰＳＩ−ＣＥＬＰ（Pitch Synchronus Innovation - CELP：ピッチ同期雑音励振源−ＣＥＬＰ）符号化方式によるものであるとすれば、デコーダ２７は、ＰＳＩ−ＣＥＬＰ符号化による伝送信号を用いて音声をデコードし、出力端子２８にデコード音声ＳｎｄNを、出力端子２９に線形予測係数αNを、出力端子３０に励振源ＮＥｘｃNを供給する。ＰＳＩ−ＣＥＬＰ符号化による伝送信号は、第１のサンプリング周波数ｆs1＝８ＫＨｚの第１の帯域Ｂ1＝３００〜３４００Ｈｚの音声信号を生成するために伝送されてきたものである。
【００２２】
帯域幅拡張部３２は、第１のサンプリング周波数ｆs1（＝８ＫＨｚ）の音声信号を生成するために送信装置から伝送されてきたＰＳＩ−ＣＥＬＰ符号化による伝送信号を基にデコーダ２７が復号した第１の帯域Ｂ1（３００〜３４００Ｈｚ）のデコード音声ＳｎｄNのサンプリング周波数を第２のサンプリング周波数ｆs2（＝１６ＫＨｚ）に変換するサンプリングレート変換手段と、上記デコーダ２７が上記ＰＳＩ−ＣＥＬＰ符号化による伝送信号をデコードして得た線形予測係数αNと、励振源ＮＥｘｃNとを使って第２のサンプリング周波数ｆs2（＝１６ＫＨｚ）の第２の帯域Ｂ2（３４００Ｈｚ〜６０００Ｈｚ）の信号を推測する帯域外成分推測手段と、上記サンプリングレート変換手段で第２のサンプリング周波数ｆs2（＝１６ＫＨｚ）とされた第１の帯域Ｂ1（３００〜３４００Ｈｚ）の音声信号と、上記帯域外成分推測手段で推測された第２のサンプリング周波数ｆs2（＝１６ＫＨｚ）の第２の帯域Ｂ2（３４００Ｈｚ〜６０００Ｈｚ）の音声信号を加算する加算手段と、上記加算手段からの加算出力（３００Ｈｚ〜６０００Ｈｚ）に雑音低減処理を施す雑音低減処理手段とを備える。
【００２３】
ここで、上記サンプリングレート変換手段は図４におけるアップサンプル回路４５である。また、上記加算手段は加算器４６であり、上記雑音低減処理手段は雑音低減処理部４７である。また、上記帯域外成分推測手段は、図４において、アップサンプル回路４５と、加算器４６と、雑音低減処理部４７を除いた部分である。
【００２４】
以下、帯域幅拡張部３２の構成を詳細に説明する。先ず、上記帯域外成分推測手段について説明する。上記帯域外成分推測手段は、線形予測係数→自己相関（αN→ｒN）変換回路３６と、自己相関（ｒ）広帯域化部３７と、広帯域コードブック（ｒwＣＢ）３８と、自己相関→線形予測係数（ｒw→αw）変換部３９と、ＬＰＣ合成部４０と、励振源拡張部４１と、高域抽出＆抑圧フィルタ４２と、乗算器４３とからなる。
【００２５】
入力端子３４から供給された線形予測係数αNは、線形予測係数→自己相関（αN→ｒN）変換回路３６に供給される。このαN→ｒN変換回路３６は、線形予測係数αNを自己相関ｒNに変換し、自己相関（ｒ）広帯域化部３７に供給する。自己相関（ｒ）広帯域化部３７は広帯域コードブック（ｒwＣＢ）３８を用いて自己相関ｒを広帯域化（拡張化）する。広帯域コードブック（ｒwＣＢ）３８は広帯域音から抽出した自己相関パラメータｒwを用いて予め作成されている。
【００２６】
広帯域コードブック（ｒwＣＢ）３８を用い、自己相関（ｒ）広帯域化部３７が拡張した拡張自己相関ｒwは自己相関→線形予測係数（ｒw→αw）変換部３９に供給される。ｒw→αw変換部３９は拡張自己相関ｒwを拡張線形予測係数αwに再度変換してからＬＰＣ合成部４０に供給する。ＬＰＣ合成部４０はｒw→αw変換部３９からの広帯域線形予測係数αwと後述する励振源拡張部４１からの拡張励振源に基づいて広帯域音声を合成する。
【００２７】
ＬＰＣ合成回路４０の合成出力は、高域抽出＆抑圧フィルタ４２に供給される。高域抽出＆抑圧フィルタ４２は、周波数帯域３００Ｈｚ〜３４００Ｈｚの信号成分を除去し、第２の帯域Ｂ2＝３４００Ｈｚ〜６０００Ｈｚの信号成分を抽出するように、高い周波数成分を抑圧する。このフィルタ４２からのフィルタ出力には、端子４４から供給されるゲインが乗算器４３で乗算される。乗算器４３でゲインが乗算された出力（第２の帯域Ｂ2＝３４００Ｈｚ〜６０００Ｈｚ）は、加算器４６に供給される。
【００２８】
上記ＬＰＣ合成部４０には、上述したように励振源拡張部４１からの拡張励振源も供給される。励振源拡張部４１は、入力端子３５から供給された励振源に関するパラメータとしてのＬＰＣ残差（このＬＰＣ残差を励振源ＮＥｘｃNと記す。）を拡張する。この励振源拡張部４１の詳細な構成を図５に示す。
【００２９】
先ず、入力端子３５を介して供給された励振源ＮＥｘｃNは、アップサンプル回路５０によりアップサンプルされる。アップサンプル回路５０の出力は、ＬＰＦ５１、ブースト回路５２を介して出力端子５５からＬＰＣ合成部４０に送られる。すなわち、励振源ＮＥｘｃNをアップサンプルした信号は、音声信号を合成する際の上記拡張励振源として用いられる。ブースト回路５２は、破擦音や摩擦音が検出された場合に、上記拡張励振源をブーストするためのもので、そのブースト量は破擦音検出回路５４の出力により制御される。破擦音検出回路５４は、入力端子５３を介して上記αN→ｒN変換回路３６からの自己相関ｒNを受け取り、破擦音や摩擦音を検出する。
【００３０】
また、帯域幅拡張部３２は、上述したように上記サンプリングレート変換手段として、入力端子３３から供給された、第１の帯域Ｂ1＝３００〜３４００Ｈｚのデコード音声ＳｎｄNのサンプリング周波数をｆs1＝８ｋＨｚからｆs2＝１６ｋＨｚにアップサンプルするアップサンプル回路４５を備えている。
【００３１】
そして、アップサンプル回路４５でサンプリング周波数が第２のサンプリング周波数ｆs2＝１６ｋＨｚに変換された、第１の帯域Ｂ1＝３００Ｈｚ〜３４００Ｈｚの音声信号成分と、乗算器４３からの乗算出力である、第２のサンプリング周波数ｆs2＝１６ｋＨｚの第２の帯域Ｂ2＝３４００Ｈｚ〜６０００Ｈｚの音声信号成分とを加算器４６で加算する。
【００３２】
さらに、加算器４６からの加算出力となる、帯域３００〜６０００Ｈｚ、サンプリング周波数が１６ｋＨｚの広帯域音声信号Ｓｎｄwを、雑音低減処理部４７に供給する。
【００３３】
この雑音低減処理部４７は、本件出願人が既に出願した、特開平７−１９３５４８号公報に開示されている、雑音低減処理方法を用いて、背景雑音を検出し、抑圧する。この雑音低減処理方法は、上記第１のサンプリング周波数ｆs1の音声信号を生成するために送信装置から伝送されてきた伝送信号に基づく音声パラメータ符号から検出された背景雑音区間の雑音レベルに応じて制御信号を形成し、この制御信号に基づいて雑音低減処理の内容を変化させる。
【００３４】
図６には、上記雑音低減処理方法を適用した、雑音低減処理部４７の詳細な構成を示す。上記加算器４６からの加算出力となる、帯域３００〜６０００Ｈｚ、サンプリング周波数が１６ｋＨｚの広帯域音声信号Ｓｎｄwは入力端子１３１を介して、フレームパワー計算回路１３２に供給される。フレームパワー計算回路１３２は、例えば周期２０ｍｓｅｃのフレーム毎のパワーとして、例えば自乗平均の平方根、いわゆるｒｍｓ値を計算する。このフレームパワー計算回路１３２で計算されたフレーム平均パワー値は、抑圧比計算回路１３３に供給される。抑圧比計算回路１３３は、上記フレームパワー計算回路１３２で計算されたフレーム平均パワーを用いて、雑音を抑圧するための係数である抑圧比を計算する。抑圧比計算回路１３３で計算された抑圧比は、スムージング回路１４３に送られる。スムージング回路１３４は、抑圧比計算回路１３３で計算された抑圧比にスムージング処理を施す。このスムージング処理とは、例えば２０ｍｓｅｃで１６０サンプルのフレーム単位で分割された入力音声信号のつながりの不連続性を避けるための処理である。このスムージング処理が施された抑圧比は、ノイズリデュース回路１３５に送られ、このノイズリデュース回路１３５において上記広帯域音声信号Ｓｎｄwの雑音を除去するために用いられる。
【００３５】
抑圧比計算回路１３３には、端子１３８を介して入力された雑音レベル検出信号をレベル弁別回路１３７で弁別して得られた制御信号が供給されており、この制御信号に応じて、例えば上記抑圧比計算のしきい値が切換制御されるようになっている。
【００３６】
以上の構成の帯域幅拡張部３２における、主要な動作原理について以下に説明する。帯域幅拡張部３２は、３００Ｈｚ〜３４００Ｈｚの第１の帯域Ｂ1の音声信号を生成するための音声パラメータ符号から３４００Ｈｚ〜６０００Ｈｚという第２の帯域Ｂ2用の音声符号化パラメータを生成し、広帯域ＬＰＣ合成を行う。その後、原音声の周波数帯域である低域（３００Ｈｚ〜３４００Ｈｚ）側を、原音声を１６ＫＨｚにアップサンプルしたものに置換する。すなわち、高域通過フィルタを施し高域（３４００Ｈｚ〜６０００Ｈｚ）のみを残し、この高域成分の中でも高い周波数成分を抑圧し、さらにゲインを調整し、その後、原音声（３００Ｈｚ〜３４００Ｈｚ）をアップサンプル（第２のサンプリング周波数ｆs2）したものに加算する。
【００３７】
ここで、音声パラメータ符号の広帯域化（或いは拡張化）は、線形予測係数αの広帯域化、励振源ＮＥｘｃNの広帯域化の二つが必要である。また、αの広帯域化には、αと相互に変換可能なパラメータである自己相関ｒによるコードブックを予め作成しておく必要がある。このコードブックによる量子化、逆量子化によって自己相関ｒが広帯域化される。
【００３８】
先ず、線形予測係数αの広帯域化について説明する。αはスペクトル包絡を表すフィルタ係数であることに着目し、高域側を推定しやすい別のスペクトル包絡を表すパラメータである自己相関ｒに一旦変換し、これを広帯域化し、その後で広帯域（或いは拡張）自己相関ｒwから広帯域（或いは拡張）線形予測係数αwに逆変換する。拡張にはベクトル量子化を用いる。狭帯域自己相関ｒnをベクトル量子化し、そのインデックスから対応するｒwを求めればよい。
【００３９】
狭帯域自己相関と広帯域自己相関には、後述するように一定の関係が成り立つため、広帯域自己相関によるコードブックのみを用意すればよく、狭帯域自己相関をこれによりベクトル量子化でき、また逆量子化により広帯域自己相関が求まる。
【００４０】
狭帯域信号を、広帯域信号を帯域制限したものとすれば、広帯域自己相関と狭帯域自己相関には以下の（１）式に示す関係がある。
【００４１】
【数１】
0004135240.tif 000002
【００４２】
ここで、φは自己相関、ｘnは狭帯域信号、ｘwは広帯域信号、ｈは帯域制限フィルタのインパルス応答である。
【００４３】
さらに、自己相関とパワースペクトルの関係から、次の（２）式が得られる。
【００４４】
【数２】
0004135240.tif 000003
【００４５】
この帯域制限フィルタのパワー特性と等しい周波数特性を持つ、もう一つの帯域制限フィルタを考え、これをＨ’とすれば、上記（２）式は、次の（３）式のようになる。
【００４６】
【数３】
0004135240.tif 000004
【００４７】
この新たなフィルタの通過域、阻止域は当初の帯域制限フィルタと同等であり、減衰特性が２乗となる。したがって、この新たなフィルタもまた、帯域制限フィルタといえる。これを考慮すると、狭帯域自己相関は、広帯域自己相関と帯域制限のフィルタのインパルス応答との畳み込み、すなわち広帯域自己相関を帯域制限したものと単純化される。すなわち、次の（４）式となる。
【００４８】
【数４】
0004135240.tif 000005
【００４９】
以上より、狭帯域自己相関をベクトル量子化するにあたっては、広帯域コードブックのみを用意すれば、量子化時に必要な狭帯域ベクトルは演算により作成が可能であり、狭帯域自己相関から予めコードブックを用意しておく必要がないことが分かる。
【００５０】
さらに、各広帯域自己相関のｒwコードベクタは単調減少もしくはなだらかに増減するカーブを持つために、上記Ｈ’により低域通過させても大きな変化がなく、ｒn量子化は、直接ｒwコードブックで行える。ただし、サンプリング周波数が１／２のため、１次おきに比較する必要がある。
【００５１】
線形予測係数αの拡張は有声音（Ｖ）と無声音（ＵＶ）に分けることによって、さらに精度良い拡張が可能であるため、これも行っている。これに伴いコードブックもＶ用、ＵＶ用の二つを用いている。
【００５２】
次に、励振源の拡張について説明する。ＰＳＩ−ＣＥＬＰにおいては狭帯域での励振源を、図５のアップサンプル回路５０でゼロ値を挿入することでアップサンプルし、エイリアシング歪みを発生させたものを用いる。この方法は非常に単純であるが、元の音声のパワーや調波構造の差分が保存されるので、励振源としては十分な品質であるといえる。
【００５３】
そして、以上で得られた広帯域αと広帯域励振源によりＬＰＣ合成回路４０でＬＰＣ合成を行う。
【００５４】
また、広帯域ＬＰＣ合成された音声は、このままでは品質が悪いので、低域側はコーデック出力のオリジナル音声ＳｎｄNで置換する。このために、合成音のうち３４００Ｈｚ以上を抽出し、一方でコーデック出力をｆs＝１６ＫＨｚにアップサンプルし、これらを加算する。
【００５５】
このとき、乗算器４３で高域側に乗算するゲインをユーザの好みに応じてゲイン調整器で調整可能としている。ユーザ毎の個人差が大きいため、この値を可変にしている。高域側ゲインの値をユーザからの入力により予め設定しておき、この値を参照し、乗算を行う。
【００５６】
また、加算前に高域側に対し、高域抽出＆抑圧フィルタ４２で約６ＫＨｚ以上の成分を若干抑圧するフィルタリングを施すことで、聴きやすい音にしている。このフィルタ係数を選択可能とし、予め選択されたフィルタにより処理を行うことで、好みに応じ高域側の周波数帯域を選択可能とした。このフィルタの選択もユーザの入力により設定する。
【００５７】
なお、このフィルタ４２を用いての処理は、低域側のパワー特性に影響を与えないため、加算後に行っても良い。あるいは、あえて低域側にも影響のあるフィルタを加算後に施す事も可能である。以上により広帯域音声が得られる。
【００５８】
次に、以上の動作原理に基づいて、帯域幅拡張部３２が広帯域音声信号を生成する動作について図７のフローチャートを用いて説明する。
【００５９】
ステップＳ１で図４に示したαN→ｒN変換回路３６は、図３に示したデコーダ２７によりデコードされた線形予測係数αNを自己相関ｒNに変換する。また、デコーダ２７でデコードされた音声信号ＳｎｄNはステップＳ２でＶ／ＵＶ判定される。
【００６０】
このステップＳ２での判定結果がＶであると、ステップＳ４では有声音用自己相関ｒNを量子化する。この量子化は、ステップＳ３で求めた狭帯域Ｖ用パラメータを用いる。すなわち、広帯域Ｖのコードブック３８から、１次おきに比較して求めた狭帯域Ｖ用パラメータを用いる。
【００６１】
一方、ステップＳ２での判定結果がＵＶであるときには、ステップＳ４ではステップＳ３で求めた狭帯域ＵＶ用パラメータを用いて無声音用自己相関ｒを量子化する。
【００６２】
そして、ステップＳ５でそれぞれ広帯域Ｖコードブック又は広帯域ＵＶコードブックを用いて逆量子化し、これにより広帯域自己相関ｒWが得られる。広帯域自己相関ｒWはステップＳ６でｒW→αW変換回路３９によりαWに変換される。
【００６３】
一方、デコーダ２７からの励振源は、ステップＳ７で図５に示したアップサンプル回路５０によりサンプル間にゼロが詰められることでアップサンプルされ、エイリアシングにより広帯域化される。これが広帯域励振源として、ＬＰＣ合成回路４０に供給される。
【００６４】
そして、ステップＳ８で、ＬＰＣ合成回路４０が広帯域αWと広帯域励振源とを、ＬＰＣ合成し、広帯域の音声信号が得られる。
【００６５】
しかし、このままでは予測によって求められた広帯域信号にすぎず、予測による誤差が含まれているので品質が悪い。特に入力狭帯域音声の周波数範囲（３００Ｈｚ〜３４００Ｈｚ）に関しては、コーデック出力のオリジナル音声ＳndN（入力音声）をそのまま利用したほうが良い。
【００６６】
したがって、ＬＰＣ合成回路４０からの合成音のうち、入力狭帯域音声の周波数範囲３００〜３４００ＨｚをステップＳ９でバンドストップフィルタ（ＢＳＰ）を用いたフィルタリングにより除去する。
【００６７】
そして、ステップＳ１０でアップサンプル回路４５により上記オリジナル音声ＳｎｄNをアップサンプルしたものと、ステップＳ１３で加算器４６により加算する。このとき、ステップＳ１１で高域側に対し、約６ＫＨｚ以上の成分を若干抑圧する高域抽出＆抑圧フィルタ４２によりフィルタリングすることで、聴きやすい音にしている。このフィルタ係数は上述したように選択可能とされている。
【００６８】
さらに、ステップＳ１２では、乗算器４３を用いてユーザの好みに応じて高域側ゲインを調整可能としている。
【００６９】
なお、ここで、帯域幅拡張部３２で用いる、コードブックの作成について説明する。コードブックの作成は一般によく知られたＧＬＡ(Generalized Lloyd Algorithm)による方法である。広帯域音声を一定時間、例えば２０msecごとのフレームに区切り、そのフレーム毎に、一定次例えば６次までの自己相関を求めておく。このフレーム毎の自己相関をトレーニングデータとし、６次元のコードブックを作成する。このとき、有声音、無声音の区別を行い、有声音の自己相関、無声音の自己相関を別々に集め、それぞれのコードブックを作成してもよい。この場合、帯域拡張処理中αの拡張時、コードブックを参照するが、このときにも有声音、無声音の判別を行い、対応するコードブックを利用する。
【００７０】
帯域幅拡張部３２では、広帯域有声音用コードブックと広帯域無声音用コードブックを用いている。この広帯域有声音用コードブックの作成については図８を、広帯域無声音用コードブックの作成については図９を参照しながら説明する。
【００７１】
先ず、広帯域音声信号を学習用に用意し、図８のステップＳ３１で１フレーム２０msecにフレーミングする。次に、ステップＳ３２で各フレームにおいて、例えばフレームエネルギーやゼロクロスの値等を調べることによって有声音（Ｖ）か無声音（ＵＶ）かの分類を行う。
【００７２】
そして、ステップＳ３３で広帯域有声音フレームにおいて、例えば６次までの自己相関パラメータｒを計算する。また、ステップＳ３４では広帯域無声音フレームにおける、例えば６次までの自己相関パラメータｒを求める。
【００７３】
この各フレームの６次の自己相関パラメータから、図９のステップＳ４１で広帯域パラメータを抽出し、ＧＬＡにより次元６の広帯域Ｖ（ＵＶ）コードブックをステップＳ４２で作成する。
【００７４】
以上、ＰＳＩ−ＣＥＬＰによる復号化方法を用いた帯域幅拡張部３２では、サンプリング周波数を８ＫＨｚから１６ＫＨｚに変換した高品質の広帯域音声信号を提供することができる。
【００７５】
さらに、この帯域幅拡張部３２は、既に構成を示した雑音低減処理部４７により、上記広帯域音声信号の雑音を低減できる。この雑音低減処理部４７の動作について詳細に説明する。
【００７６】
図６のフレームパワー計算回路１３２は、上記フレーム当たりの上記広帯域音声信号Ｓｎｄwの平均パワーｒｍｓを計算する。この平均パワーｒｍｓは抑圧比計算回路１３３に供給される。
【００７７】
抑圧比計算回路１３３は、平均パワーｒｍｓと、あるしきい値ｎｒ１とを比較し、その比較結果により、抑圧比scaleを計算する。すなわち、この抑圧比scaleは、上記平均パワーｒｍｓがしきい値ｎｒ１以上のとき１とし、しきい値ｎｒ１よりも小さいとき、
scale＝ｒｍｓ／Ｋ          ・・・（５）
とする。ここで、Ｋは定数である。この例の場合には、Ｋ＝ｎｒ１となる。
【００７８】
あるいは、全てのｒｍｓについて上記（５）式を計算し、その計算結果としての抑圧比scaleが１よりも小（scale＜１）となる場合には、この（５）式で計算された抑圧比scaleを上記広帯域音声信号Ｓｎｄwに乗算する。これは、上記平均パワーｒｍｓが上記しきい値ｒｎ１よりも小となるフレームにおいては、上記広帯域音声信号Ｓｎｄwに１よりも小さいゲインを乗算することを意味する。また、この（５）式の結果、抑圧比scaleが１以上（scale≧１）となる場合には、上記広帯域音声信号Ｓｎｄwには何も処理を施さずそのまま出力する。これは、抑圧比scaleが上記しきい値となるフレームにおいては、上記広帯域音声信号Ｓｎｄwに１のゲインを乗算することを意味する。したがって、このしきい値ｎｒ１を適切に選ぶことにより、雑音部分のようなパワーの小さい部分ではゲインが小さく制御されることになり、実質的に雑音低減の効果が得られる。なお、上記（５）式を用いた場合のノイズ抑圧の効果は、入力信号の平均パワーに対して１／２倍となる。
【００７９】
また、ノイズの抑圧がききすぎる場合や、一定レベル以下をミュートする回路と組み合わせて使用する場合などにおいては、上記しきい値ｎｒ１（これを第１のしきい値とする。）よりも小さい第２のしきい値ｎｒ２を設定し、入力レベルがこの第２のしきい値ｎｒ２よりも小さくなる領域で、抑圧を小さく、すなわちエキスパンダの伸長作用の強さを弱めることが好ましい。
【００８０】
ところで、入力された信号に対して音声と雑音とを区別して処理しているわけではないので、子音などの音声パワーが相対的に小さいところで音声が無くなる傾向がある。特に強くノイズリデュースをかけたときにこの現象が顕著に現れ、音声の種類によってはかなりの違和感を感じる。したがって、フレーム平均パワーに対して、どの程度の強さでノイズリデュースをかけるか、またどのくらいの大きさからかけるかの検討が必要になってくる。
【００８１】
また、上記のような処理をフレーム単位で行うと、フレームでの音声のつながりが不連続になり、聞いたときに不自然感を感じてしまう。
【００８２】
これらのことを考慮して、上記抑圧比scaleに対してアタックタイム、リカバリタイムを設定し、例えばフレーム単位のスムージングを行うことにより、上記不自然感が出ないようにすることが考えられる。
【００８３】
すなわち、上記図６の構成からも明らかなように、抑圧比計算回路１３３で計算して求められた抑圧比scaleは、一旦スムージング回路１３４によるスムージング処理を施した後、ノイズリデュース回路１３５に送るようにしている。
【００８４】
このスムージング回路１３４は、上述したようなノイズ低減処理において生じる問題を解決するために設けられたものであり、上記アタックタイム、リカバリタイムを設定している。この例では、アタックタイムを“０”とし、リカバリータイムは可変としている。
【００８５】
すなわち、計算した現在のフレームの音声パワーが前のフレームより大きい時にはその値をそのまま使い、逆に小さい場合は所定の特性を備えるローパスフィルタ（ＬＰＦ）によりスムージングを行い、フレームパワーの変化による処理の不自然感が出ないようにする。
ノイズリデュース回路１３５は、上記広帯域音声信号Ｓｎｄwにスムージング回路１３４を介した抑圧比scaleを乗算して入力信号Ｓｎｄwの雑音低減処理を行い、雑音が低減された出力信号を出力端子１３６から出力している。
【００８６】
ところで、上記抑圧比計算回路１３３には、端子１３８を介した雑音レベル検出信号をレベル弁別回路１３７で弁別して得られた制御信号が供給されている。この制御信号に応じて、上記抑圧比計算のしきい値が切換制御されている。すなわち、抑圧比計算のしきい値は、雑音レベル検出信号に基づいている。
【００８７】
この雑音レベル検出信号は、上記第１のサンプリング周波数ｆs1の音声信号を生成するために送信装置から伝送されてきた伝送信号に基づく音声パラメータ符号から検出された背景雑音区間の音声レベルである。
【００８８】
ここでは、図示を省略しているが、上記音声パラメータ符号から背景雑音区間を検出する雑音区間検出回路と、この雑音区間検出回路で検出された雑音区間の雑音レベルを検出する雑音レベル検出回路が必要とされ、端子１３８には雑音レベル検出回路で検出された雑音レベル検出信号が供給される。
【００８９】
また、この雑音低減処理部４７は、上記第１のサンプリング周波数ｆs1（８ＫＨｚ）の音声信号を生成するために送信装置から伝送されてきた伝送信号に基づく音声パラメータ符号を処理に用いているが、実際に雑音低減処理を施すのは、第２のサンプリング周波数ｆs2（１６ＫＨｚ）とされた上記広帯域音声信号ＳｎｄWに対してである。このため、雑音低減処理部４７は、上記図６に示した構成による雑音低減処理を１フレーム（２０ｍｓｅｃ）当たり、３２０サンプル（ワード）の上記広帯域音声信号ＳｎｄWに、１６０ワード分ずつ２回（＝ｆs2／ｆs1）に分けて施している。
【００９０】
このようにして、雑音低減処理部４７は、上記広帯域音声信号中の雑音成分を低減できるので、帯域幅拡張部３２は、雑音成分を低減した上記広帯域音声信号を出力できる。
【００９１】
次に、図１の受信装置１内部の信号処理装置５の他の具体例について図１０〜図１２を用いて説明する。この他の具体例は、図１０に示すデコーダ５８と、図１１に示す帯域幅拡張部６５とを備えてなる。
【００９２】
上記図２に示した送信装置１５の信号処理装置２１における音声符号器での符号化方法がＶＳＥＬＰ（Vector Sum Excited Linear Prediction：ベクトル和励起線形予測）符号化方式によるものであるとすれば、デコーダ５８はＶＳＥＬＰ符号化による伝送信号を用いて音声をデコードして出力端子５９にデコード音声ＳｎｄNを、出力端子６０に線形予測係数αNを、出力端子６１に励振源１ＥｘｃN1を、出力端子６２に励振源２ＥｘｃN2を供給する。
【００９３】
帯域幅拡張部６５は、図１１に示すような構成である。上記図４に示した帯域幅拡張部３２と異なるのは励振源切換＆拡張部６８を設けている点である。
【００９４】
ＰＳＩ−ＣＥＬＰは、コーデック自体、特に有声音Ｖを聴感上滑らかに聞こえるような処理を行っているが、ＶＳＥＬＰにはこれがなく、このために帯域幅拡張したときに若干雑音が混入したように聞こえる。そこで、広帯域励振源を作成する際に、励振源を切り換える回路を内部に備えた励振源切換＆拡張部６８を用い、図１２に示すような処理を施す。この図１２に示す処理は、上記図７に示した励振源処理をステップＳ８７〜ステップＳ８９のように変えたものである。
【００９５】
ＶＳＥＬＰの励振源は、コーデックに利用されるパラメータβ(長期予測係数), bL[i](長期フィルタ状態),γ(利得), c1[i](励起コードベクタ)により、β * bL[i] + γ * c1[i]
として作成されるが、このうち前者がピッチ成分、後者がノイズ成分を表すので、これをβ * bL[i]とγ * c1[i]に分け、ステップＳ８７で、一定の時間範囲において、前者のエネルギーが大きい場合にはピッチが強い有声音と考えられるため、ステップＳ８８でＹＥＳに進み、励振源をパルス列とし、ピッチ成分のない部分ではＮＯに進み０に抑圧した。また、ステップＳ８７でエネルギーが大きくない場合には従来どおりとし、こうして作成された狭帯域励振源にステップＳ８９でゼロ詰め処理によりPSI-CELP同様０を詰めアップサンプルすることで広帯域励振源とした。これにより、ＶＳＥＬＰにおける有声音の聴感上の品質が向上する。
【００９６】
そして、ステップＳ９２でアップサンプル回路４５により上記オリジナル音声ＳｎｄNをアップサンプルしたものと、ステップＳ９５で加算器４６により加算する。このとき、ステップＳ９１で高域側に対し、約６ＫＨｚ以上の成分を若干抑圧する高域抽出＆抑圧フィルタ４２によりフィルタリングを施すことで、聴きやすい音にしている。このフィルタ係数は上述したように選択可能としている。
【００９７】
さらに、ステップＳ９３では、乗算器４３を用いてユーザの好みに応じて高域側ゲインを調整可能としている。
【００９８】
以上、ＶＳＥＬＰによる復号化方法を用いた帯域幅拡張部６５でも、サンプリング周波数を８ＫＨｚから１６ＫＨｚに変換した高品質の広帯域音声信号を提供することができる。
【００９９】
さらに、この帯域幅拡張部６５は、上記図６に示したのと同様の雑音低減処理部４７を備えているので、雑音成分を低減した上記広帯域音声信号を出力できる。
【０１００】
上記図１の受信装置１内部の信号処理装置５としては、図１３に示す帯域幅拡張部７０とその前段の、図１４に示すデコード部とからなる信号処理装置を他の具体例としてもよい。
【０１０１】
図１４に示したデコード部は、ＶＳＥＬＰデコーダ７７とＰＳＩ−ＣＥＬＰデコーダ８１とを備え、送信装置側から伝送されてくる、伝送信号の符号化方式に応じて、デコーダ７７又は８１への音声パラメータ符号の入力を切り換える。つまり、入力端子７５を介して受け取った上記伝送信号を切換スイッチ７６で、上記符号化方式の種類、つまりＶＳＥＬＰ又はＰＳＩ-ＣＥＬＰに応じて切り換えている。
【０１０２】
ＶＳＥＬＰデコーダ７７からの二つの励振源１ＥｘｃN1及び励振源２ＥｘｃN2は出力端子７８及び７９を介して図１３の入力端子６６及び６７に供給される。また、ＰＳＩ-ＣＥＬＰデコーダ８１からの励振源ＮＥｘｃNは出力端子８２を介して図１３の入力端子３５に供給される。
【０１０３】
また、ＶＳＥＬＰデコーダ７７又はＰＳＩ−ＣＥＬＰデコーダ８１からの線形予測係数αV又はαpは上記符号化方式の種類に応じて切換スイッチ８０により選択されてから出力端子８３を介して図１３の入力端子３４に供給される。
【０１０４】
同様に、ＶＳＥＬＰデコーダ７７又はＰＳＩ−ＣＥＬＰデコーダ８１からのデコード音声も上記符号化方式の種類に応じて切換スイッチ８４により選択されてから出力端子８５を介して図１３の入力端子３３に供給される。
【０１０５】
また、図１３に示す、帯域幅拡張部７０側では、上記符号化方式の種類に応じて切り換わる切換スイッチ７１により、励振源切換＆拡張部６８又は励振源拡張部４１からの励振源出力を切り換えて、ＬＰＣ合成部４０に供給する。
【０１０６】
したがって、この帯域幅拡張部７０によれば、送信装置側から伝送されてくる伝送信号の符号化方式の種類に応じ、サンプリング周波数を２倍にした高品質の帯域幅拡張を行うことができ、かつ雑音成分を低減できる。
【０１０７】
さらに、上記図１の受信装置１内部の信号処理装置５は、図１５に示すような帯域幅拡張部９０を備えてもよい。
【０１０８】
帯域幅拡張部９０の入力端子９１には、ＬＰＣ残差である励振源が供給される。また、入力端子９２には線形予測係数αが供給される。入力端子９１からの励振源は、ＬＰＣ合成フィルタ９３に送られると共に、アップサンプル回路１００に送られる。入力端子９２からの線形予測係数はＬＰＣ合成フィルタ９３に送られる。
【０１０９】
ＬＰＣ合成フィルタ９３は、入力端子９１からの励振源を基に、入力端子９２からの線形予測係数を用いて音声信号を合成する。ＬＰＣ合成フィルタ９３で合成された音声信号は、アップサンプル回路９４に供給される。
【０１１０】
アップサンプル回路９４は、ＬＰＣ合成フィルタ９３で合成された音声信号のサンプリング周波数ｆs1をアップサンプルする。アップサンプルされた上記音声信号は、バンドパスフィルタ９５で所定の帯域のみが通過され、加算器９６に供給される。このアップサンプル回路９４、バンドパスフィルタ９５、加算回路９６に通じる経路は、元の周波数帯域の成分の信号を合成された音声信号に付加するための経路である。
【０１１１】
また、ＬＰＣ合成フィルタ９３から線形予測係数−自己相関変換回路９７に線形予測係数が送られる。線形予測係数−自己相関変換回路９７は、線形予測係数を自己相関に変換するものである。この自己相関は狭帯域コードブック９８に送られると共に、破擦音検出回路９９に送られる。
【０１１２】
また、入力端子９１からの励振源は、アップサンプル回路１００でアップサンプルされ、ローパスフィルタ１０１、ブースト回路１０２を介して、ＬＰＣ合成フィルタ１０３に送られる。ブースト回路１０２は、破擦音や摩擦音が検出された場合に励振源をブーストするためのもので、ブースト回路１０２のブースト量は、破擦音検出回路９９の出力により制御される。
【０１１３】
狭帯域コードブック９８には、予め複数の音声信号のパターンから得られた狭帯域音声信号の自己相関情報がコードベクタとして格納されている。狭帯域コードブック９８で、線形予測係数−自己相関変換回路９７からの自己相関と、狭帯域コードブック９８に格納されている自己相関情報とが比較され、マッチング処理が行われる。そして、最もマッチしている自己相関情報のインデックスが広帯域コードブック１０４に送られる。
【０１１４】
広帯域コードブック１０４には、狭帯域コードブック９８と対応して、狭帯域コードブック９８を作成したときと同一のパターンの音声信号から得られる広帯域音声信号の自己相関情報がコードベクタとして格納されている。狭帯域コードブック９８で最もマッチしている自己相関情報が判断されると、このインデックスが広帯域コードブック１０４に送られ、広帯域コードブック１０４により、最もマッチしていると判断された狭帯域の自己相関情報に対応する広帯域の自己相関情報が読み出される。
【０１１５】
広帯域コードブック１０４から読み出された広帯域の自己相関情報は、自己相関−線形予測係数変換回路１０５に送られる。自己相関−線形予測係数変換回路１０５により、自己相関から線形予測係数への変換が行われる。この線形予測係数がＬＰＣ合成フィルタ１０３に送られる。
【０１１６】
ＬＰＣ合成フィルタ１０３ではＬＰＣ合成が行われ、これにより、広帯域音声信号が合成される。ＬＰＣ合成フィルタ１０３で合成された音声信号は、高域抽出＆抑圧フィルタ１０６及び乗算器１０７に供給される。
【０１１７】
高域抽出＆抑圧フィルタ１０６は、ＬＰＣ合成フィルタ１０３からの合成出力から入力狭帯域音声信号の周波数帯域３００Ｈｚ〜３４００Ｈｚの信号成分を除去し、３４００Ｈｚ以上の信号成分を抽出すると共に、ユーザの好みに応じて高い周波数成分を抑圧する。乗算器１０７は、高域抽出＆抑圧フィルタ１０６からのフィルタ出力に端子１０８から調整されたゲインを乗算する。
【０１１８】
そして、加算器９６は、乗算器１０７からの乗算出力に、ＢＰＦ９５を介した元の狭帯域音声信号成分を加算する。これにより、広帯域の音声信号が得られる。
【０１１９】
この音声信号は、雑音低減処理部１０９に供給される。この雑音低減処理部１０９は、上記図６に示した構成をとり、上記広帯域音声信号の雑音を低減する。
【０１２０】
以上より、この図１５に示した帯域幅拡張部９０を備える受信装置でも、サンプリング周波数を２倍にした高品質の広帯域音声信号を生成し、雑音を低減することができる。
【０１２１】
なお、上記帯域幅拡張部３２、６５、７０又は９０を備えた信号処理装置を用いた受信装置は、送信装置と一体化され、図１６に示すような、携帯電話装置１１０を構成してもよい。この携帯電話装置１１０も、ＰＤＣとして、現在広くしようされている、ディジタル携帯電話に適用される。
【０１２２】
この携帯電話装置１１０で、マイクロホン１１１から入力された音声信号は、アンプ１１２，ボリューム１１３，アンチエイリアシングフィルタ１１４及びＡ／Ｄ変換器１１５を経由して信号処理装置１１６のメモリ１１６ａに格納される。
【０１２３】
メモリ１１６ａに格納された音声信号は、信号処理装置１１６内部の音声符号化部で符号処理され、音声パラメータ符号として出力される。
【０１２４】
この音声パラメータ符号は、制御部１１７及びＲＦ（ＲＦ送信）アンプ１１８及びアンテナ１１９を経由して基地局へ送信される。
【０１２５】
ここで、信号処理装置１１６内部の音声符号化部は、伝送路により制限される狭帯域化を考慮した音声パラメータ符号を制御部１１７を介してＲＦアンプ１１８に供給する。
【０１２６】
また、アンテナ１１９を介して基地局から受信した音声パラメータ符号は、ＲＦアンプ１１８、制御部１１７を経由して信号処理装置１２２のメモリ１２２ａに格納される。
【０１２７】
信号処理装置１２２のメモリ１２２ａに格納された音声パラメータ符号は、信号処理装置１２２の復号部で復号処理された後、所定の信号処理が施されて出力される。
【０１２８】
信号処理装置１２２から出力信号は、Ｄ／Ａ変換器１２３でアナログ信号とされた後、アンチエイリアシングフィルター１２４、ボリューム１２５及びアンプ１２８を経由してスピーカ１２７から出力される。
【０１２９】
ここで、信号処理装置１２２は、上記帯域幅拡張部３２、６５、７０又は９０を備えてなる。したがって、この図１６に示した携帯電話装置１１０は、受話側でサンプリング周波数を２倍にした高品質の広帯域音声信号を、雑音成分を低減しながら出力することができる。
【０１３０】
なお、上記実施の形態では、受信装置、送信装置、携帯電話装置を、ＰＤＣとして使用されているディジタル携帯電話装置に適用できるとして説明したが、広帯域（ワイドバンド）ＣＤＭＡ方式、すなわち、周波数帯域幅が広い移動体通信システムにも適用が可能である。
【０１３１】
【発明の効果】
本発明に係る受信装置及び受信方法は、第１のサンプリング周波数ｆs1の音声信号を生成するために伝送されてきた伝送信号に基づく音声パラメータ符号を使って生成した第１の帯域Ｂ1の音声信号のサンプリング周波数を第２のサンプリング周波数ｆs2（ｆs2＞ｆs1）に変換して得た変換出力である第２のサンプリング周波数ｆs2の第１の帯域Ｂ1の音声信号に、上記音声パラメータ符号を使って推測した上記第１の帯域Ｂ1の帯域外成分である第２の帯域Ｂ2の第２のサンプリング周波数ｆs2の音声信号を加算し、その加算出力に雑音低減処理を施すので、雑音低減処理を施した広帯域音声信号を出力することができる。
【０１３２】
また、本発明に係る通信装置及び通信方法は、入力音声信号に第１のサンプリング周波数ｆs1による符号化処理を施して伝送信号を生成すると共に、上記第１のサンプリング周波数ｆs1を生成するために伝送されてきた伝送信号に基づく音声パラメータ符号を使って生成した第１の帯域Ｂ1の音声信号のサンプリング周波数を第２のサンプリング周波数ｆs2（ｆs2＞ｆs1）に変換して得た変換出力と、上記音声パラメータ符号を使って推測した第２のサンプリング周波数ｆs2の第２の帯域Ｂ2の音声信号とを加算した加算出力に、雑音低減処理を施すので、雑音低減処理を施した広帯域音声信号を得ることができる。
【図面の簡単な説明】
【図１】本発明の実施の形態となる受信装置の構成を示すブロック図である。
【図２】上記図１に示した受信装置に音声パラメータ符号を基地局を介して送信する送信装置の構成を示すブロック図である。
【図３】上記図１に示した受信装置内部の信号処理装置を帯域幅拡張部と共に構成するＰＳＩ−ＣＥＬＰデコーダを示す図である。
【図４】上記図１に示した受信装置内部の信号処理装置をＰＳＩ−ＣＥＬＰデコーダと共に構成する帯域幅拡張部を示すブロック図である。
【図５】上記図４に示した帯域幅拡張部に含まれる励振源拡張部の詳細な構成を示すブロック図である。
【図６】上記図４に示した帯域幅拡張部に含まれる雑音低減処理部の詳細な構成を示すブロック図である。
【図７】上記図４に示した帯域幅拡張部の詳細な動作を説明するためのフローチャートである。
【図８】上記図４に示した帯域幅拡張部で用いられるコードブックに使われるトレーニングデータ生成処理を説明するためのフローチャートである。
【図９】上記コードブックの生成を説明するためのフローチャートである。
【図１０】上記図１に示した受信装置内部の信号処理装置の他の具体例に含まれるＶＳＥＬＰデコーダを示す図である。
【図１１】上記図１に示した受信装置内部の信号処理装置の他の具体例に含まれる帯域幅拡張部の構成を示すブロック図である。
【図１２】上記図１１に示した帯域幅拡張部の詳細な動作を説明するためのフローチャートである。
【図１３】上記図１に示した受信装置内部の信号処理装置のさらに他の具体例に含まれる帯域幅拡張部の構成を示すブロック図である。
【図１４】上記図１に示した受信装置内部の信号処理装置のさらに他の具体例に含まれるデコード部の構成を示すブロック図である。
【図１５】上記図１に示した受信装置内部の信号処理装置の、またさらに他の具体例に含まれる帯域幅拡張部の構成を示すブロック図である。
【図１６】上記図４，図１０，図１２又は図１４に示した帯域幅拡張部を用いた信号処理装置を含んだ受信装置を、送信装置と一体化して有してなる、携帯電話装置の構成を示すブロック図である。
【符号の説明】
１  受信装置、１５  送信装置、２１  信号処理装置、２７  ＰＳＩ−ＣＥＬＰデコーダ、３２  帯域幅拡張部、３６  線形予測係数→自己相関（αN→ｒN）変換回路、３７  自己相関広帯域化部、３８  広帯域コードブック、３９  自己相関→線形予測係数変換部、４０  ＬＰＣ合成部、４１  励振源拡張部、４７  雑音低減処理部
【図１】
0004135240.tif 000006
【図２】
0004135240.tif 000007
【図３】
0004135240.tif 000008
【図４】
0004135240.tif 000009
【図５】
0004135240.tif 000010
【図６】
0004135240.tif 000011
【図７】
0004135240.tif 000012
【図８】
0004135240.tif 000013
【図９】
0004135240.tif 000014
【図１０】
0004135240.tif 000015
【図１１】
0004135240.tif 000016
【図１２】
0004135240.tif 000017
【図１３】
0004135240.tif 000018
【図１４】
0004135240.tif 000019
【図１５】
0004135240.tif 000020
【図１６】
0004135240.tif 000021